【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
正極と、負極と、電解液とを有するマグネシウムイオン二次電池であって、
前記電解液が、下記一般式（１）で表されるジアルキルグリコールエーテルと、２つの同一の配位子がマグネシウム原子に結合してなるマグネシウム化合物との混合物を含み、アルコール類を含まず、 
前記配位子は、前記マグネシウム原子から最も遠い位置に疎水性構造を有することを特徴とするマグネシウムイオン二次電池。
【化１】
2014232719.tif 000001
式中、Ｒ1及びＲ2は、それぞれ独立して炭素数１〜６のアルキル基及び少なくとも一部の水素がフッ素置換されたアルキル基、フェニル基及び少なくとも一部の水素がハロゲン原子で置換されたフェニル基、並びにシクロヘキシル基及び少なくとも一部の水素がハロゲン原子で置換されたシクロヘキシル基のうちのいずれかであり、ｎは１〜１２の整数である。
【請求項２】
前記配位子は、前記マグネシウム原子から最も遠い位置に、炭素数１〜６のアルキル基及び少なくとも一部の水素がフッ素置換された前記アルキル基のいずれかを有することを特徴とする請求項１に記載のマグネシウムイオン二次電池。
【請求項３】
前記マグネシウム化合物は、前記マグネシウム原子に２つのジシラザン基が結合してなることを特徴とする請求項１又は２に記載のマグネシウムイオン二次電池。
【請求項４】
前記マグネシウム化合物が、マグネシウムビス（ヘキサメチルジシラジド）であることを特徴とする請求項１〜３のいずれかに記載のマグネシウムイオン二次電池。
【請求項５】
前記マグネシウム化合物が、炭素数１〜６のジアルキルマグネシウムであることを特徴とする請求項１又は２に記載のマグネシウムイオン二次電池。
【請求項６】
前記ジアルキルマグネシウムが、ジイソプロピルマグネシウム又はジブチルマグネシウムであることを特徴とする請求項５に記載のマグネシウムイオン二次電池。
【請求項７】
前記ジアルキルグリコールエーテルが、エチレングリコールジメチルエーテル、ジエチレングリコールジメチルエーテル、トリエチレングリコールジメチルエーテル、テトラエチレングリコールジメチルエーテル、ペンタエチレングリコールジメチルエーテル、ヘキサエチレングリコールジメチルエーテル、ポリエチレングリコールジメチルエーテル又はトリエチレングリコールブチルメチルエーテルであることを特徴とする請求項１〜６のいずれかに記載のマグネシウムイオン二次電池。
【請求項８】
前記ジアルキルグリコールエーテルが、トリエチレングリコールジアルキルエーテル又はテトラエチレングリコールジアルキルエーテルであることを特徴とする請求項１〜７のいずれかに記載のマグネシウムイオン二次電池。
【請求項９】
前記ジアルキルグリコールエーテルが、トリエチレングリコールジメチルエーテル、テトラエチレングリコールジメチルエーテル又はトリエチレングリコールブチルメチルエーテルであることを特徴とする請求項１〜８のいずれかに記載のマグネシウムイオン二次電池。
【請求項１０】
前記正極と、前記負極と、前記電解液とが、ラミネート外装体内に封止されてなることを特徴とする請求項１〜９のいずれかに記載のマグネシウムイオン二次電池。
【請求項１１】
正極と、負極と、電解液とを有するマグネシウムイオン二次電池であって、 
前記電解液が、下記一般式（１）で表されるジアルキルグリコールエーテルと、２つの同一の配位子がマグネシウム原子に結合してなるマグネシウム化合物との混合物を含み、
前記配位子は、前記マグネシウム原子から最も遠い位置に疎水性構造を有し、
前記マグネシウム化合物は、前記マグネシウム原子に２つのジシラザン基が結合してなることを特徴とするマグネシウムイオン二次電池。 
【化２】
2014232719.tif 000002
式中、Ｒ1及びＲ2は、それぞれ独立して炭素数１〜６のアルキル基及び少なくとも一部の水素がフッ素置換されたアルキル基、フェニル基及び少なくとも一部の水素がハロゲン原子で置換されたフェニル基、並びにシクロヘキシル基及び少なくとも一部の水素がハロゲン原子で置換されたシクロヘキシル基のうちのいずれかであり、ｎは１〜１２の整数である。
【請求項１２】
前記マグネシウム化合物が、マグネシウムビス（ヘキサメチルジシラジド）であることを特徴とする請求項１１に記載のマグネシウムイオン二次電池。
【請求項１３】
前記マグネシウム化合物が、炭素数１〜６のジアルキルマグネシウムであることを特徴とする請求項１１に記載のマグネシウムイオン二次電池。
【請求項１４】
前記ジアルキルマグネシウムが、ジイソプロピルマグネシウム又はジブチルマグネシウムであることを特徴とする請求項１３に記載のマグネシウムイオン二次電池。
【請求項１５】
下記一般式（１）で表されるジアルキルグリコールエーテルと、２つの同一の配位子がマグネシウム原子に結合してなるマグネシウム化合物との混合物を含み、アルコール類を含まず、 
前記配位子は、前記マグネシウム原子から最も遠い位置に疎水性構造を有することを特徴とするマグネシウムイオン二次電池用電解液。
【化３】
2014232719.tif 000003
式中、Ｒ1及びＲ2は、それぞれ独立して炭素数１〜６のアルキル基及び少なくとも一部の水素がフッ素置換されたアルキル基、フェニル基及び少なくとも一部の水素がハロゲン原子で置換されたフェニル基、並びにシクロヘキシル基及び少なくとも一部の水素がハロゲン原子で置換されたシクロヘキシル基のうちのいずれかであり、ｎは１〜１２の整数である。
【請求項１６】
前記配位子は、前記マグネシウム原子から最も遠い位置に、炭素数１〜６のアルキル基及び少なくとも一部の水素がフッ素置換された前記アルキル基のいずれかを有することを特徴とする請求項１５に記載のマグネシウムイオン二次電池用電解液。
【請求項１７】
前記マグネシウム化合物は、前記マグネシウム原子に２つのジシラザン基が結合してなることを特徴とする請求項１５又は１６に記載のマグネシウムイオン二次電池用電解液。
【請求項１８】
前記マグネシウム化合物が、マグネシウムビス（ヘキサメチルジシラジド）であることを特徴とする請求項１５〜１７のいずれかに記載のマグネシウムイオン二次電池用電解液。
【請求項１９】
前記マグネシウム化合物が、炭素数１〜６のジアルキルマグネシウムであることを特徴とする請求項１５又は１６に記載のマグネシウムイオン二次電池用電解液。
【請求項２０】
前記ジアルキルマグネシウムが、ジイソプロピルマグネシウム又はジブチルマグネシウムであることを特徴とする請求項１９に記載のマグネシウムイオン二次電池用電解液。
【請求項２１】
前記ジアルキルグリコールエーテルが、エチレングリコールジメチルエーテル、ジエチレングリコールジメチルエーテル、トリエチレングリコールジメチルエーテル、テトラエチレングリコールジメチルエーテル、ペンタエチレングリコールジメチルエーテル、ヘキサエチレングリコールジメチルエーテル、ポリエチレングリコールジメチルエーテル又はトリエチレングリコールブチルメチルエーテルであることを特徴とする請求項１５〜２０のいずれかに記載のマグネシウムイオン二次電池用電解液。
【請求項２２】
前記ジアルキルグリコールエーテルが、トリエチレングリコールジアルキルエーテル又はテトラエチレングリコールジアルキルエーテルであることを特徴とする請求項１５〜２１のいずれかに記載のマグネシウムイオン二次電池用電解液。
【請求項２３】
前記ジアルキルグリコールエーテルが、トリエチレングリコールジメチルエーテル、テトラエチレングリコールジメチルエーテル又はトリエチレングリコールブチルメチルエーテルであることを特徴とする請求項１５〜２２のいずれかに記載のマグネシウムイオン二次電池用電解液。
【請求項２４】
下記一般式（１）で表されるジアルキルグリコールエーテルと、２つの同一の配位子がマグネシウム原子に結合してなるマグネシウム化合物との混合物を含み、 
前記配位子は、前記マグネシウム原子から最も遠い位置に疎水性構造を有し、 
前記マグネシウム化合物は、前記マグネシウム原子に２つのジシラザン基が結合してなることを特徴とするマグネシウムイオン二次電池用電解液。 
【化４】
2014232719.tif 000004
式中、Ｒ1及びＲ2は、それぞれ独立して炭素数１〜６のアルキル基及び少なくとも一部の水素がフッ素置換されたアルキル基、フェニル基及び少なくとも一部の水素がハロゲン原子で置換されたフェニル基、並びにシクロヘキシル基及び少なくとも一部の水素がハロゲン原子で置換されたシクロヘキシル基のうちのいずれかであり、ｎは１〜１２の整数である。
【請求項２５】
前記マグネシウム化合物が、マグネシウムビス（ヘキサメチルジシラジド）であることを特徴とする請求項２４に記載のマグネシウムイオン二次電池用電解液。
【請求項２６】
前記マグネシウム化合物が、炭素数１〜６のジアルキルマグネシウムであることを特徴とする請求項２４に記載のマグネシウムイオン二次電池。
【請求項２７】
前記ジアルキルマグネシウムが、ジイソプロピルマグネシウム又はジブチルマグネシウムであることを特徴とする請求項２６に記載のマグネシウムイオン二次電池。
【請求項２８】
収納ケースと、請求項１〜１４のいずれかに記載のマグネシウムイオン二次電池と、過充電保護機能及び過放電保護機能を含む保護回路とを有し、前記収納ケースに前記マグネシウムイオン二次電池及び前記保護回路が収納されてなることを特徴とするマグネシウムイオン二次電池パック。
【手続補正２】
【補正対象書類名】明細書
【補正対象項目名】００１３
【補正方法】変更
【補正の内容】
【００１３】
上記課題を解決するために、本発明は、正極と、負極と、電解液とを有するマグネシウムイオン二次電池であって、前記電解液が、下記一般式（１）で表されるジアルキルグリコールエーテルと、２つの同一の配位子がマグネシウム原子に結合してなるマグネシウム化合物との混合物を含み、アルコール類を含まず、前記配位子は、前記マグネシウム原子から最も遠い位置に疎水性構造を有することを特徴とするマグネシウムイオン二次電池を提供する（発明１）。
【手続補正３】
【補正対象書類名】明細書
【補正対象項目名】００１８
【補正方法】変更
【補正の内容】
【００１８】
また、上記発明（発明１，２）において、前記マグネシウム化合物が、炭素数１〜６のジアルキルマグネシウムであるのが好ましく（発明５）、ジイソプロピルマグネシウム又はジブチルマグネシウムであるのが好ましい（発明６）。
【手続補正４】
【補正対象書類名】明細書
【補正対象項目名】００１９
【補正方法】変更
【補正の内容】
【００１９】
上記発明（発明１〜６）において、前記ジアルキルグリコールエーテルが、エチレングリコールジメチルエーテル、ジエチレングリコールジメチルエーテル、トリエチレングリコールジメチルエーテル、テトラエチレングリコールジメチルエーテル、ペンタエチレングリコールジメチルエーテル、ヘキサエチレングリコールジメチルエーテル、ポリエチレングリコールジメチルエーテル又はトリエチレングリコールブチルメチルエーテルであるのが好ましく（発明７）、トリエチレングリコールジアルキルエーテル又はテトラエチレングリコールジアルキルエーテルであるのがより好ましく（発明８）、トリエチレングリコールジメチルエーテル、テトラエチレングリコールジメチルエーテル又はトリエチレングリコールブチルメチルエーテル特に、トリエチレングリコールジメチルエーテル又はテトラエチレングリコールジメチルエーテルであるのが特に好ましい（発明９）。
【手続補正５】
【補正対象書類名】明細書
【補正対象項目名】００２０
【補正方法】変更
【補正の内容】
【００２０】
上記発明（発明１〜９）において、前記正極と、前記負極と、前記電解液とが、ラミネート外装体内に封止されてなるのが好ましい（発明１０）。
【手続補正６】
【補正対象書類名】明細書
【補正対象項目名】００２１
【補正方法】変更
【補正の内容】
【００２１】
また、本発明は、正極と、負極と、電解液とを有するマグネシウムイオン二次電池であって、前記電解液が、上記一般式（１）で表されるジアルキルグリコールエーテルと、２つの同一の配位子がマグネシウム原子に結合してなるマグネシウム化合物との混合物を含み、前記配位子は、前記マグネシウム原子から最も遠い位置に疎水性構造を有し、前記マグネシウム化合物は、前記マグネシウム原子に２つのジシラザン基が結合してなることを特徴とするマグネシウムイオン二次電池を提供する（発明１１）。 
上記発明（発明１１）において、前記マグネシウム化合物が、マグネシウムビス（ヘキサメチルジシラジド）であってもよいし（発明１２）、前記マグネシウム化合物が、炭素数１〜６のジアルキルマグネシウムであってもよく（発明１３）、前記ジアルキルマグネシウムとして、ジイソプロピルマグネシウム又はジブチルマグネシウムを用いることができる（発明１４）。 
【手続補正７】
【補正対象書類名】明細書
【補正対象項目名】００２２
【補正方法】変更
【補正の内容】
【００２２】
また、本発明は、下記一般式（１）で表されるジアルキルグリコールエーテルと、２つの同一の配位子がマグネシウム原子に結合してなるマグネシウム化合物との混合物を含み、前記配位子は、前記マグネシウム原子から最も遠い位置に疎水性構造を有することを特徴とするマグネシウムイオン二次電池用電解液を提供する（発明１５）。
【化２】
2014232719.tif 000005
式中、Ｒ1及びＲ2は、それぞれ独立して炭素数１〜６のアルキル基及び少なくとも一部の水素がフッ素置換されたアルキル基、フェニル基及び少なくとも一部の水素がハロゲン原子で置換されたフェニル基、並びにシクロヘキシル基及び少なくとも一部の水素がハロゲン原子で置換されたシクロヘキシル基のうちのいずれかであり、ｎは１〜１２の整数である。
【手続補正８】
【補正対象書類名】明細書
【補正対象項目名】００２３
【補正方法】変更
【補正の内容】
【００２３】
上記発明（発明１５）において、前記配位子は、前記マグネシウム原子から最も遠い位置に、炭素数１〜６のアルキル基及び少なくとも一部の水素がフッ素置換された前記アルキル基のいずれかを有するのが好ましい（発明１６）。
【手続補正９】
【補正対象書類名】明細書
【補正対象項目名】００２４
【補正方法】変更
【補正の内容】
【００２４】
上記発明（発明１５，１６）において、前記マグネシウム化合物は、前記マグネシウム原子に２つのジシラザン基が結合してなるのが好ましく（発明１７）、前記マグネシウム化合物が、マグネシウムビス（ヘキサメチルジシラジド）であるのが好ましい（発明１８）。
【手続補正１０】
【補正対象書類名】明細書
【補正対象項目名】００２５
【補正方法】変更
【補正の内容】
【００２５】
また、上記発明（発明１５，１６）において、炭素数１〜６のジアルキルマグネシウムであるのが好ましく（発明１９）、ジイソプロピルマグネシウム又はジブチルマグネシウムであるのが好ましい（発明２０）。
【手続補正１１】
【補正対象書類名】明細書
【補正対象項目名】００２６
【補正方法】変更
【補正の内容】
【００２６】
上記発明（発明１５〜２０）において、前記ジアルキルグリコールエーテルが、エチレングリコールジメチルエーテル、ジエチレングリコールジメチルエーテル、トリエチレングリコールジメチルエーテル、テトラエチレングリコールジメチルエーテル、ペンタエチレングリコールジメチルエーテル、ヘキサエチレングリコールジメチルエーテル、ポリエチレングリコールジメチルエーテル又はトリエチレングリコールブチルメチルエーテルであるのが好ましく（発明２１）、トリエチレングリコールジアルキルエーテル又はテトラエチレングリコールジアルキルエーテルであるのがより好ましく（発明２２）、トリエチレングリコールジメチルエーテル、テトラエチレングリコールジメチルエーテル又はトリエチレングリコールブチルメチルエーテルであるのが特に好ましい（発明２３）。
【手続補正１２】
【補正対象書類名】明細書
【補正対象項目名】００２７
【補正方法】変更
【補正の内容】
【００２７】
また、本発明は、上記一般式（１）で表されるジアルキルグリコールエーテルと、２つの同一の配位子がマグネシウム原子に結合してなるマグネシウム化合物との混合物を含み、前記配位子は、前記マグネシウム原子から最も遠い位置に疎水性構造を有し、前記マグネシウム化合物は、前記マグネシウム原子に２つのジシラザン基が結合してなることを特徴とするマグネシウムイオン二次電池用電解液を提供する（発明２４）。 
上記発明（発明２４）において、前記マグネシウム化合物が、マグネシウムビス（ヘキサメチルジシラジド）であってもよいし（発明２５）、炭素数１〜６のジアルキルマグネシウムであってもよく（発明２６）、前記ジアルキルマグネシウムとして、ジイソプロピルマグネシウム又はジブチルマグネシウムを用いることができる（発明２７）。 
さらに、本発明は、収納ケースと、上記発明（発明１〜１４）に係るマグネシウムイオン二次電池と、過充電保護機能及び過放電保護機能を含む保護回路とを有し、前記収納ケースに前記マグネシウムイオン二次電池及び前記保護回路が収納されてなることを特徴とするマグネシウムイオン二次電池パックを提供する（発明２８）。